(57)【要約】【課題】  パチンコ等の玉貸機において、紙幣、硬貨およびＩＣコインを任意に使用可能とする。【解決手段】  玉貸機１は、紙幣識別機２０と、硬貨セレクタ３０と、上部振分け部４０と、下端にＩＣコイン保持部５０を有するＩＣコインの保留部とを設け、硬貨とＩＣコインは共通投入口から投入通路２１を経て投入される。貸玉購入後の残額はＩＣコイン保持部から払出すＩＣコインに設定される。紙幣挿入口と共通投入口の２つ用いて紙幣、硬貨およびＩＣコインの３種による貸玉の購入が可能となる。【選択図】        図３
2005342115.tif 000002
【特許請求の範囲】
【請求項１】
遊技媒体貸出機が、紙幣挿入口と、該紙幣挿入口に連ねた紙幣識別機と、硬貨とＩＣコインの共通投入口と、該共通投入口からの硬貨を識別する硬貨セレクタと、前記共通投入口からのＩＣコインを保留する保留部と、該保留部の最下端に保留されたＩＣコインを保持する保持手段と、ＩＣコインを保持した状態の前記保持手段を駆動させることによりＩＣコインを払出すＩＣコイン払出し機構とを備え、前記紙幣挿入口または共通投入口からの入金金額から遊技媒体の購入金額を差し引いた残額を、前記保持手段に保持したＩＣコインに設定する残額設定手段を有し、前記ＩＣコイン払出し機構は前記残額設定手段により残額が設定されたＩＣコインを払出すことを特徴とする遊技媒体貸出しシステム。  
【発明の詳細な説明】
【技術分野】
【０００１】
本発明は、遊技施設に併設された遊技媒体貸出機による、パチンコ玉やメダル等の遊技媒体の貸出しシステムに関する。
【背景技術】
【０００２】
従来の遊技媒体貸出しシステムとして、例えば特開２００２−１８１０９号公報に開示されたものがある。  これは電子データの書込みが可能なＩＣコインを利用するもので、遊技媒体貸出機は、紙幣およびＩＣコインの受付機能を有し、指定購入金額に応じた玉やメダルなどの遊技媒体を払出す一方、投入した紙幣やＩＣコインの金額から遊技媒体の購入金額を差し引いた金額その他のデータを書き込んだＩＣコインを払出して返却するものとなっている。遊技媒体貸出機は払出したＩＣコインに書き込んだデータを管理コンピュータにも書き込む。  
【０００３】
返却されたＩＣコインは、精算機に投入することにより、当該ＩＣコインに書き込まれている金額の紙幣の払出しを受けることができ、あるいは次回に遊技媒体貸出機に投入することにより、遊技媒体の貸し出しを受けることができる。精算機や遊技媒体貸出機は、投入されたＩＣコインに書き込まれたデータと管理コンピュータに書き込まれているデータを照合して、正規のＩＣコインであることを確認する。    
【特許文献１】特開２００２−１８１０９号公報
【発明の開示】
【発明が解決しようとする課題】
【０００４】
しかしながら、上記従来の遊技媒体貸出しシステムでは、遊技媒体貸出機が紙幣とＩＣコインのみを受け付け可能となっており、複数の多数流通している硬貨は受付けしないものとして、複数種類の通貨を扱わないことにより簡素、小型にできるとしている。  これは、遊技媒体貸出機が、例えばパチンコ店ではパチンコ台間に設置するために、その正面パネルの幅が極限まで細く設定されてスペースが小さいことから、紙幣挿入口とＩＣコイン投入口に加えて、硬貨の投入口まで配置する余裕がないことも背景となっていることが考えられる。  そのため、硬貨しか手持ちがない遊技者は、別途に設置された硬貨使用可能の遊技媒体貸出機まで移動しなければならないという不便が生じる。  
【０００５】
本発明は、このような従来の問題点に鑑み、紙幣、ＩＣコイン、ならびに硬貨を任意に使用可能な遊技媒体貸出しシステムを提供することを目的とする。
【課題を解決するための手段】
【０００６】
このため本発明は、遊技媒体貸出機が、紙幣挿入口と、該紙幣挿入口に連ねた紙幣識別機と、硬貨とＩＣコインの共通投入口と、該共通投入口からの硬貨を識別する硬貨セレクタと、共通投入口からのＩＣコインを保留する保留部と、該保留部の最下端に保留されたＩＣコインを保持する保持手段と、ＩＣコインを保持した状態の保持手段を駆動させることによりＩＣコインを払出すＩＣコイン払出し機構とを備え、上記紙幣挿入口または共通投入口からの入金金額から遊技媒体の購入金額を差し引いた残額を、保持手段に保持したＩＣコインに設定する残額設定手段を有し、ＩＣコイン払出し機構は残額設定手段により残額が設定されたＩＣコインを払出すものとした。
【発明の効果】
【０００７】
遊技終了までの遊技媒体の購入金額が入金金額に満たなかった場合、その残額が設定されたＩＣコインを払出すので、次回はこのＩＣコインを共通投入口から投入することにより遊技媒体を購入することができる。共通投入口は硬貨セレクタにもつながっているので、挿入口と共通投入口の２つの口を用いて紙幣、硬貨およびＩＣコインの３種による遊技媒体の購入が可能となった。
【発明を実施するための最良の形態】
【０００８】
以下、本発明の実施の形態について詳細に説明する。  図１は、本発明をパチンコ店に適用した実施の形態の構成を示す図である。  遊技媒体貸出機としての玉貸機１が図示省略のパチンコ台間に設置されている。玉貸機１は、それぞれ紙幣挿入口３、硬貨およびＩＣコインの共通投入口４、カード挿入口５、ＩＣコイン等の返却口６、および玉払出し口７を備えている。  玉貸機１はまた、内部に制御部６０を備え、各制御部６０は管理サーバ７０と通信可能に接続されている。  管理サーバ７０は、さらにパチンコ店内の適宜箇所に設置された精算機７５とも通信可能に接続されている。  ＩＣコインにはそれぞれを識別可能なＩＤが書き込まれており、管理サーバ７０は、ＩＣコインのＩＤに対応させた管理領域７２（７２Ａ、７２Ｂ、・・７２Ｎ）を設定し、各ＩＣコインの金額データを記憶可能に構成されている。  
【０００９】
図２、図３は玉貸機１の詳細を示し、図２は正面パネル２の正面図、図３は内部構造を示す側面図で、硬貨およびＩＣコインの通路については断面を示している。  まず図２に示すように、正面パネル２の略中間高さ位置には樋状の玉払出し口７が配置されている。玉払出し口７より上側の上半部には、上から順に紙幣挿入口３、硬貨およびＩＣコインの共通投入口４が設けられ、さらにその下側には、返却スイッチ８、返却ボタン９、残玉回数表示部１０、残高・貯玉度数表示部１１、表示切替スイッチ１２、高額払出スイッチ１３、高額使用可表示部１４、貯玉払出スイッチ１５、貯玉使用可表示部１６が設けられている。  
【００１０】
また、玉払出し口７より下側の下半部には、返却口６、およびカード挿入口５が設けられている。  返却スイッチ８は、ＩＣコインや会員カードの返却を求めるためのスイッチ、返却ボタン９は内部に詰まった硬貨やＩＣコインを払出すためのボタンである。  残玉回数表示部１０は、貸玉を払出す際に、払出すべき玉数を減算表示する。  残高・貯玉度数表示部１１は、投入された紙幣、ＩＣコインまたは会員カードの残高金額または対応する玉数を表示する。表示切替スイッチ１２はＩＣコインまたは会員カードのいずれの残高を残高・貯玉度数表示部１１に表示させるかを選択するためのものである。  
【００１１】
高額払出スイッチ１３は、例えば２千円以上の高額紙幣を投入したとき、まず千円分だけの玉が玉払出し樋から払出されるが、その後さらに払出しを受けるためのものである。残高が存在する範囲で、このスイッチを押すごとに千円分ずつの玉が払出される。  高額使用可表示部１４は、当該玉貸機が高額紙幣を受付け可能状態であることをＬＥＤの点灯で表示する。また貯玉使用可表示部１６は、当該玉貸機が会員カードを受付け可能状態であることをＬＥＤの点灯で表示する。  
【００１２】
貯玉払出スイッチ１５は、会員カードが挿入されているとき、払出しを受けるためのものである。貯玉が存在する範囲で、このスイッチを押すごとに例えば１００個分など所定単位ずつの玉が払出される。  返却口６は、残高が設定されたＩＣコイン、および不良硬貨を払出す。  
【００１３】
図３に示すように、玉貸機１内部では、玉通路６６が玉払出し口７を図示しない貸玉供給部に接続している。玉貸機１の上部には、紙幣挿入口３（図２参照）に連ねた紙幣識別機２０が設けられ、紙幣挿入口３から投入された紙幣の真偽および金額を識別する。投入されたものが真紙幣の場合は図示しない紙幣搬送通路へ送り出される一方、偽紙幣の場合は紙幣挿入口３から差し戻される。  硬貨およびＩＣコインの共通投入口４（図２参照）には投入通路２１が接続され、共通投入口４から投入された硬貨あるいはＩＣコインを硬貨セレクタ３０へ案内する。  
【００１４】
硬貨セレクタ３０は、投入通路２１からの硬貨あるいはＩＣコインを受け入れる受入れ通路３１を有し、受入れ通路３１にそって第１、第２のセンサ３２、３３を備えている。そしてこれら第１、第２のセンサで硬貨を識別して、振分けゲート３４を切替え作動させる。  図４は振分けゲート部分の断面図である。硬貨およびＩＣコインの共通投入口４から投入された硬貨が正貨であれば振分けゲート３４が開いて、受入れ通路３１からの硬貨が第１通路３５へ案内される。  共通投入口４から投入されたものが偽貨またはＩＣコインの場合は、振分けゲート３４が閉じて、第２通路３６へ案内される。  硬貨セレクタ３０の第１通路３５は正貨通路２２に接続し、正貨は正貨通路２２から図示しない硬貨搬送路へ送り出される。第２通路３６は非正貨通路２３に接続する。  
【００１５】
非正貨通路２３の下端は、上部振分け部４０を介して左右に枝分かれした保留部２４と偽貨返却通路２５につながっている。上部振分け部４０は、ＩＣコインのＩＤ読み取りを行う上部リーダ４２と、振分けディスク４４を備える。  振分けディスク４４は周縁部に切り欠き凹部４５を有して、非正貨通路２３を移動してきたＩＣコイン等をその切り欠き凹部４５に保持し、一方向または逆方向に回動して、保持したＩＣコイン等を保留部２４または偽貨返却通路２５へ振り分ける。  振分けディスク４４の切り欠き凹部４５に保持されているＩＣコインを、必要に応じて、上部振分け部のＩＣコインと呼ぶ。上部リーダ４２は読み取ったＩＣコインのＩＤを制御部６０へ出力する。  偽貨返却通路２５の下端は返却口６に開口している。  
【００１６】
図５乃至図８はＩＣコイン保持部５０の詳細を示し、図５は斜視図、図６乃至図８は保持プレート部分の断面図である。保留部２４は筒状に形成され、保留部２４の下端はＩＣコイン保持部５０を介して、ＩＣコイン払出し通路２７につながっている。ＩＣコイン保持部５０は、ＩＣコインのＩＤ読み取りを行う下部リーダ５２と、保持プレート５４を備える。  保持プレート５４は、一方端側にはＩＣコインが収まる大きさに切り抜かれたＩＣコインガイド部５５を有し、保留部２４の最下端に保留されたＩＣコインをそのＩＣコインガイド部５５に保持する。他端側にはガイド溝５６を有し、駆動モータ５９のカム５８に取り付けられたピン５７がガイド溝５６に挿通している。  保持プレート５４は、駆動モータ５９の回転により左右方向に移動する。図６に示すように、保持プレート５４は保留部の最下端に保留された１枚のＩＣコインを保持した状態で、駆動モータ５９のカム５８が９０度回転し、図７に示すようにＩＣコインを下部リーダ５２の位置まで移動させる。  保持プレート５４に保持されているＩＣコインを、必要に応じて、ＩＣコイン保持部のＩＣコインと呼ぶ。下部リーダ５２は読み取ったＩＣコインのＩＤを制御部６０へ出力する。  
【００１７】
保持プレート５４は、駆動モータ５９のカム５８が更に９０度即ち都合１８０度回転することにより、図８に示すように、そのＩＣコインガイド部５５が下部リーダ５２の位置からＩＣコイン払出し通路２７の位置になるまで移動し、ＩＣコインはＩＣコイン払出し通路２７へ払出させる。ＩＣコイン払出し通路２７は返却口６に開口している。  玉貸機１の底部には、カード挿入口５に対応させてカードリードライタ６４が設置されている。  
【００１８】
制御部６０は玉貸機１の下半部に配置され、紙幣識別機２０、上部振分け部４０、ＩＣコイン保持部５０、およびカードリードライタ６４と図示しない信号線で接続されている。  これにより、紙幣識別機２０は紙幣挿入口３から投入された紙幣の金額データを制御部６０へ出力する。  
【００１９】
上部振分け部４０からは、振分けディスク４４の切り欠き凹部４５に保持したＩＣコインのＩＤを上部リーダ４２で読み取ったデータが制御部６０に入力される。上部リーダ４２でＩＣコインのＩＤが読み取れた場合は、制御部６０は当該ＩＣコインを保留部２４へ送り出す方向に振分けディスク４４を回動させる指令を出力する。  一方、上部リーダ４２でＩＤを読み取れなかったときは、振分けディスク４４の切り欠き凹部４５に保持したものはＩＣコインではなく偽貨であるものとして、偽貨返却通路２５へ送り出す方向に振分けディスク４４を回動させる指令を出力する。  
【００２０】
ＩＣコイン保持部５０は、保持プレート５４のＩＣコインガイド部５５に保持したＩＣコインのＩＤを、制御部６０からの指示に基づいて下部リーダ５２で読み取り、そのＩＤを制御部６０へ出力する。制御部６０は別途ＩＣコインの払出しが必要となるまで、当該ＩＣコインをＩＣコイン保持部５０に保持させたままとする一方、下部リーダ５２から受け取ったＩＣコインのＩＤを管理サーバ７０へ出力して、当該Ｉ
Ｄのための管理領域７２を設定させる。  
【００２１】
カードリードライタ６４からは、カード挿入口５から挿入された会員カードに記録された貯玉データが読み取られて制御部６０に入力され、制御部６０からは払出した玉数を差し引いた貯玉データが出力されて会員カードに書き込まれる。  
【００２２】
図９、図１０は、以上のように構成された実施の形態における、とくに紙幣、硬貨、およびＩＣコインによる貸玉購入時の制御動作の流れを示すフローチャートである。  まず、ステップ１００において、玉貸機１の紙幣識別機２０、硬貨セレクタ３０、および上部振分け部４０は待機状態にある。  紙幣挿入口３から紙幣が投入されて、紙幣識別機２０から入金金額データが制御部６０へ入力されるとステップ１０１へ進む。  硬貨およびＩＣコインの共通投入口４から硬貨が投入されて、硬貨セレクタ３０から入金金額データが制御部６０へ入力されるとステップ１０２へ進む。  共通投入口４からＩＣコインが投入されて、上部振分け部４０からＩＣコインのＩＤが制御部６０へ入力されるとステップ３０１へ進む。  
【００２３】
ステップ１０１で、制御部６０は、入金金額が千円以下であるかをチェックして、千円以下であればステップ１０２へ進み、千円を超える高額の場合はステップ１０３へ進む。  ステップ１０２では、制御部６０は入金金額分だけの貸玉を払出すように、貸玉供給部へ指令を出力して玉貸し処理を実行し、待機状態へ戻る。  また、共通投入口４から硬貨が投入された場合も、このステップ１０２において入金金額分だけの玉貸し処理が実行される。  
【００２４】
一方、高額入金の場合、ステップ１０３では、制御部６０が、ＩＣコイン保持部５０のＩＣコインのＩＤと入金金額のデータを管理サーバ７０へ出力する。これにより、管理サーバ７０は、当該ＩＣコインのＩＤ（ＩＤ：Ａ）に対応させた管理領域７２Ａに入金金額（例えば５０００円）を記憶する。  このあとステップ１０４において、管理サーバ７０はまず千円分の玉貸しを制御部６０へ指示し、これに基づいて制御部６０は貸玉供給部へ指令を出力して玉貸し処理を実行する。管理サーバ７０は、ＩＣコイン保持部５０のＩＣコインのＩＤ（ＩＤ：Ａ）に対応する管理領域７２Ａに記憶した金額から玉貸分の千円を差し引いた新たな金額（４０００円）を、当該管理領域に記憶する。  
【００２５】
続いてステップ１０５において、管理サーバ７０は、上記管理領域７２Ａに記憶された金額が０（ゼロ）でない、すなわち残高があるかどうかをチェックする。そして残高がある場合は、ステップ１０６へ進み、残高がない場合は待機状態へ戻る。  ステップ１０６では、管理サーバ７０は残高を制御部６０へ出力し、これを受信した制御部６０は利用可能残高として残高・貯玉度数表示部１１に表示する。  
【００２６】
ステップ１０７では、制御部６０は、高額払出スイッチ１３がオンされたかどうかをチェックする。高額払出スイッチ１３がオンされた場合は、制御部６０はその旨を管理サーバ７０へ出力してステップ１０４へ戻る。すなわち、管理サーバ７０は千円分の玉貸しを制御部６０へ指示し、これに基づいて制御部６０は玉貸し処理を実行する。管理サーバ７０は、ＩＣコイン保持部５０のＩＣコインのＩＤ（ＩＤ：Ａ）に対応する管理領域７２Ａに記憶した金額から玉貸分の千円を差し引いた新たな金額（３０００円）を、当該管理領域に記憶する。  
【００２７】
高額払出スイッチ１３がオンされていない場合は、ステップ１０７からステップ１０８へ進み、返却スイッチ８がオンされたかどうかをチェックする。返却スイッチ８もオンされていないときはステップ１０７へ戻り、高額払出スイッチ１３のオンまたは返却スイッチ８のオンのチェックを繰り返す。  
【００２８】
ステップ１０８のチェックで返却スイッチ８がオンされたときは、ステップ１０９において制御部６０はＩＣコイン保持部５０に指令を出し、駆動モータ５９を駆動させて保持プレート５４のＩＣコインガイド部５５に保持したＩＣコインをＩＣコイン払出し通路２７へ払出させる。  そして、ステップ１１０において、制御部６０は次にＩＣコイン保持部５０の保持プレート５４に保持されたＩＣコインのＩＤ（ＩＤ：Ｂ）を下部リーダ５２から受けて、そのＩＤを管理サーバ７０に出力して新たな管理領域７２Ｂを設定させたあと、待機状態へ戻る。  
【００２９】
ＩＣコインが投入された場合のステップ３０１では、制御部６０は、上部リーダ４２が読み取った上部振分け部４０のＩＣコインのＩＤ（ＩＤ：Ｃ）を管理サーバ７０へ出力する。  ステップ３０２では、管理サーバ７０は、投入された当該ＩＣコインのＩＤ（ＩＤ：Ｃ）に対応する管理領域を検索し、その管理領域７２Ｃに記憶された金額が０（ゼロ）でない、すなわち残高があるかどうかをチェックする。そして残高がある場合は、ステップ３０３へ進み、残高がない場合はステップ３０５へ進む。  
【００３０】
ステップ３０３で管理サーバ７０は、ＩＣコイン保持部５０のＩＣコインのＩＤ（ＩＤ：Ｄ）に対応する管理領域７２Ｄに上記残高を移動させる。  すなわち、図７に示すように、投入されたＩＣコインのＩＤ（ＩＤ：Ｃ）に対応する管理領域７２Ｃに記憶された金額が例えば３０００円であった場合、矢示のように、元来記憶値が０円であったＩＣコイン保持部５０のＩＣコインのＩＤ（ＩＤ：Ｄ）に対応する管理領域７２Ｄに上記３０００円が記憶され、管理領域７２Ｃの記憶値が０円に書き換えられて、残高が付け替えられる。  
【００３１】
次のステップ３０４において、制御部６０は振分けディスク４４を回動させて、上部振分け部の残高をゼロとされたＩＣコインを保留通路部２４へ送る。  これにより、共通投入口４から投入されたＩＣコインは保留部２４に入って保留される際にすべて残高がゼロに設定されることになる。  このあとは、ステップ１０４の玉貸し処理に進み、以後、高額入金時の処理と同じである。  一方、投入されたＩＣコインに残高がなかった場合のステップ３０５では、制御部６０が当該ＩＣコインを上部振分け部４０から保留部２４へ送らせ、その後待機状態に戻る。  
【００３２】
以上のように、本システムの制御では、高額入金に対して入金金額の全部を消費しないで遊技を終了する場合には、ＩＣコインを払出し、そのＩＣコインのＩＤに対応させて管理サーバ７０に残額が記憶されるので、次回ＩＣコインを投入すればそのＩＤに基づいて残高が確認され、貸玉の購入が可能となる。  また、投入されたＩＣコインはその残高が管理サーバ７０においてゼロにされ、代わりに次の払出し用にＩＣコイン保持部５０に保持されている別のＩＣコインのＩＤに対応する管理領域に付け替えられる。残高をゼロとされたＩＣコインは保留部２４、すなわち玉貸機１内に保留されるから、投入したＩＣコインとはＩＤが異なるＩＣコインが払出されることとなる。  
【００３３】
なお、残高・貯玉度数表示部１１に残高が表示されている状態で、さらに硬貨や千円以下の紙幣が投入された場合には、ステップ１０２で投入金額分だけの貸玉が払出される。  また、残高・貯玉度数表示部１１に残高が表示されている状態で、さらに高額の紙幣やＩＣコインが投入された場合は、制御部６０から管理サーバ７０へその旨が出力されるから、ステップ１０４以下で千円分の玉貸しが行われ、ＩＣコイン保持部５０に保持されているＩＣコインのＩＤに対応する管理領域の残額に差額が加算される。  ただし、残高・貯玉度数表示部１１に残高として所定の高額金額が表示されているときには、さらなる紙幣の投入などを受け付けないように設定することも可能である。  
【００３４】
精算機７５もＩＣコインのＩＤを読み取る図示省略のリーダ部を備え、精算機７５に投入されたＩＣコインのＩＤを管理サーバ７０に出力する。管理サーバ７０は当該ＩＤに対応する管理領域７２に記憶された残額を精算機７５へ通知するので、精算機７５はその残額を精算金として払出す。管理サーバ７０は残額を精算機７５へ通知した後、当該ＩＤに対応する管理領域の残額をゼロに書き換える。  
【００３５】
本実施の形態では、保持プレート５４が発明における保持手段を構成し、駆動モータ５９、カム５８、ピン５７がＩＣコイン払出し機構を構成している。そして、図９のフローチャートのステップ１０３の処理に係わる下部リーダ５２、制御部６０および管理サーバ７０が残額設定手段を構成している。  
【００３６】
実施の形態は以上のように構成され、紙幣挿入口３と、硬貨とＩＣコインの共通投入口４とを有するとともに、共通投入口４からのＩＣコインを保留する保留部２４の出口にＩＣコインを払出し可能に保持するＩＣコイン保持部５０を設け、紙幣挿入口３または共通投入口４からの入金金額から貸玉の購入金額を差し引いた残額を、ＩＣコイン保持部５０に保持したＩＣコインに対応させて記憶する管理サーバ７０を設け、ＩＣコイン保持部５０は残額が管理サーバ７０への記憶により設定されたＩＣコインを払出すものとしたので、次回はこの払出されたＩＣコインを共通投入口４から投入することにより貸玉を購入することができる。共通投入口４は硬貨セレクタ３０にもつながっているので、紙幣挿入口３と共通投入口４の２つの口を用いて紙幣、硬貨およびＩＣコインの３種による貸玉の購入が可能である。  
【００３７】
共通投入口４から投入されたＩＣコインは保留部２４に入る際にその残高が特定され、管理サーバ７０では当該残高を保留部２４の出口のＩＣコイン保持部５０に保持されたＩＣコインに付け替え記憶するので、保留部２４に複数のＩＣコインが保留されていても、投入されたＩＣコインの残高は次に払出されるＩＣコインに確実に反映される。  
【００３８】
そしてとくにＩＣコインにはそれぞれを識別可能なＩＤが書き込まれ、残高設定は、ＩＣコイン保持部５０に保持したＩＣコインのＩＤを読み取る下部リーダ５２を設け、管理サーバ７０には読み取られたＩＤに対応する管理領域を設定して、上記残高をこの管理領域に記憶することにより行い、また、残高特定については、保留部２４の入口の上部振分け部４０に共通投入口４からのＩＣコインのＩＤを読み取る上部リーダ４２を設け、読み取られたＩＤに対応する管理サーバ７０の管理領域の記憶値を、当該ＩＣコインの残高とし、さらに、残高付け替えは、上部リーダ４２で読み取られたＩＤに対応する管理領域の記憶値を、ＩＣコイン保持部５０に保持したＩＣコインのＩＤに対応する管理領域に記憶するとともに、上部リーダ４２で読み取られたＩＤに対応する管理領域の記憶値をゼロにするものとしたので、ＩＣコインには金額データを記憶させる必要はなく、不正な金額データ書換えの恐れがない。  
【００３９】
実施の形態は、保留部２４を筒状とし、ＩＣコインを払出す機構は駆動モータ５９、カム５８等を使用する構成を示したが、本発明はこれに限定されない。図１２、図１３は本発明の他の実施の形態を示し、ＩＣコインの通路においては断面を示している。図１２に示すように、保留部２４は通路状に形成され、ＩＣコインを起立状態で保留する。最下端に保留されるＩＣコインは保持プレート５４の一方端側に備えたＩＣコインガイド部５５に保持され、下部リーダ５２にＩＤを読み取られる。他端側にはラック５１を有し、駆動モータ５９のモータギア５３とラックピニオンを形成し、駆動モータ５９の回転により保持プレート５４はＩＣコインガイド部５５にＩＣコインを保持した状態で、図１３に示すようにＩＣコインを払出し通路２７へ払出させる。  
【００４０】
ＩＣコインを払出す機構の他の形態として、タイミングベルトや丸ベルト等に保持プレートを固定し、駆動モータの回転によるベルトの移動により保持プレートを移動させる方法を用いてもよい。また、保留部をＩＣコイン払出通路と直通の通路状に形成し、電磁ソレノイドを用いて通路を開閉させることにより保持したり払出したりする方法を用いてもよい。  
【００４１】
また、実施の形態は、パチンコ店の玉貸しシステムを例として説明したが、本発明はこれに限定されず、パチンコ玉のほかメダルその他の遊技媒体貸出しシステムにも適用される。  なお、実施の形態では
、ＩＣコインにはＩＤを書き込み、金額データは管理サーバ７０に記憶させるものとして、不正行為防止のための照合データの書込みなどを併用すれば、ＩＣコイン自体に金額データを書き込むものとすることもできる。
【図面の簡単な説明】
【００４２】
【図１】本発明の実施の形態の構成を示す図である。
【図２】玉貸機の正面パネルの正面図である。
【図３】玉貸機の内部構造を示す側面図である。
【図４】硬貨セレクタにおける振分けゲート部分の断面図である。
【図５】保留部及びＩＣコイン保持部の構造を示す斜視図である。
【図６】ＩＣコイン保持部の保持プレート部分の断面図である。
【図７】ＩＣコイン保持部の保持プレート部分の断面図である。
【図８】ＩＣコイン保持部の保持プレート部分の断面図である。
【図９】貸玉購入時の制御動作の流れを示すフローチャートである。
【図１０】貸玉購入時の制御動作の流れを示すフローチャートである。
【図１１】ＩＣコインの残額の付け替え処理を示す説明図である。
【図１２】保留部及びＩＣコイン保持部の他の実施の形態を示す図である。
【図１３】保留部及びＩＣコイン保持部の他の実施の形態を示す図である。
【符号の説明】
【００４３】
１      玉貸機  ２      正面パネル  ３      紙幣挿入口  ４      共通投入口  ５      カード挿入口  ６      返却口  ７      玉払出し口  ８      返却スイッチ  ９      返却ボタン  １０    残玉回数表示部  １１    残高・貯玉度数表示部  １２    表示切替スイッチ  １３    高額払出スイッチ  １４    高額使用可表示部  １５    貯玉払出スイッチ  １６    貯玉使用可表示部  ２０    紙幣識別機  ２１    投入通路  ２２    正貨通路  ２３    非正貨通路  ２４    保留部  ２５    偽貨返却通路  ２７    ＩＣコイン払出し通路  ３０    硬貨セレクタ  ３１    受入れ通路  ３２    第１のセンサ  ３３    第２のセンサ  ３４    振分けゲート  ３５    第１通路  ３６    第２通路  ４０    上部振分け部  ４２    上部リーダ  ４４    振分けディスク  ４５    切り欠き凹部  ５０    ＩＣコイン保持部  ５１    ラック５２    下部リーダ  ５３    モータギア  ５４    保持プレート  ５５    ＩＣコインガイド部  ５６    ガイド溝  ５７    ピン  ５８    カム  ５９    駆動モータ  ６０    制御部  ６４    カードリードライタ  ６６    玉通路  ７０    管理サーバ  ７２    管理領域  ７５    精算機  Ｋ      ＩＣコイン
【図１】
2005342115.tif 000003
【図２】
2005342115.tif 000004
【図３】
2005342115.tif 000005
【図４】
2005342115.tif 000006
【図５】
2005342115.tif 000007
【図６】
2005342115.tif 000008
【図７】
2005342115.tif 000009
【図８】
2005342115.tif 000010
【図９】
2005342115.tif 000011
【図１０】
2005342115.tif 000012
【図１１】
2005342115.tif 000013
【図１２】
2005342115.tif 000014
【図１３】
2005342115.tif 000015